(57)【要約】【課題】この発明は、既設天井板などと共締めすることなく、既設天井板に形成されている既設開口部を利用して既設天井板から吊設できるようにし、作業時間および作業負荷を低減できるエレベータのかご室の吊天井ユニットおよびかご室天井の改装方法を得る。【解決手段】吊天井取付金１２は、上面を平坦面とし、かつ厚みが内周側から外周側に向かって３段のステップ状に薄くなる断面形状を有する枠体に作製され、薄肉部の下面で構成される取付面を既設天井板の裏面に接するように既設天井板に形成された開口部に装着される。照明板取付金１５は、基部１６の一端から鋭角に折り返されて形成された吊天井取付金係止部１７を吊天井取付金１２の上面に接するように配置され、スタッドボルト１３とナットとにより締着固定される。照明板１１が照明板取付金１５の基部１６の他端から鋭角に折り返されて形成された目地枠構成部１９より構成された目地枠に装着される。【選択図】図３
2010228840.tif 000002
【特許請求の範囲】
【請求項１】
上面を平坦面とし、かつ厚みが内周側から外周側に向かってステップ状に薄くなる断面形状を有する枠体に作製され、薄肉部の下面を上面に平行な枠状の取付面とする吊天井取付金と、
それぞれ、基部、該基部の一端から鋭角に折り返されて形成され、該基部に相対する面を上記吊天井取付金の上面に接して配置される吊天井取付金係止部、および該基部の他端から該吊天井取付金係止部と逆側に折り返されて形成された目地枠構成部を有する複数の内装板取付金と、
上記吊天井取付金と上記複数の吊天井取付金係止部とを締着一体化する固定手段と、
上記複数の目地枠構成部により構成される目地枠に着脱自在に装着される内装板と、
を備えたエレベータのかご室の吊天井ユニット。
【請求項２】
それぞれ、上面を平坦面とし、かつ厚みが幅方向の一側から他側に向かってステップ状に薄くなる断面形状を有する帯状体に作製され、薄肉部の下面が上面に平行な帯状の取付面を構成しており、幅方向の一側を内周側に向けて枠状に配列される複数の吊天井取付金と、
それぞれ、基部、該基部の一端から鋭角に折り返されて形成された吊天井取付金係止部、および該基部の他端から該吊天井取付金係止部と逆側に折り返されて形成された目地枠構成部を有し、該吊天井取付金係止部が該基部に相対する面を枠状に配列された上記複数の吊天井取付金の上面に接して配置される複数の内装板取付金と、
上記複数の吊天井取付金と上記複数の吊天井取付金係止部とを締着一体化する固定手段と、
上記複数の目地板構成部により構成される目地枠に着脱自在に装着される内装板と、
を備えたエレベータのかご室の吊天井ユニット。
【請求項３】
上記吊天井取付金は、厚みが内周側から外周側に、若しくは幅方向の一側から他側に向かって漸次複数段のステップ状に薄くなる断面形状を有することを特徴とする請求項１又は請求項２記載のエレベータのかご室の吊天井ユニット。
【請求項４】
開口部が既設天井板に形成され、既設遮蔽板が該開口部を塞口するように装着されているエレベータのかご室天井の改装方法において、
上記既設遮蔽板を取り外す工程と、
上面を平坦面とし、かつ厚みが内周側から外周側に向かってステップ状に薄くなる断面形状を有する枠体に作製された吊天井取付金を、その薄肉部の下面を上記既設天井板の上面に接するように上記開口部に嵌合させて上記既設天井板に保持させる工程と、
基部、該基部の一端から鋭角に折り返されて形成された吊天井取付金係止部、および該基部の他端から該吊天井取付金係止部と逆側に折り返されて形成された目地枠構成部を有する複数の内装板取付金を、該吊天井取付金係止部の該基部に相対する面を上記吊天井取付金の上面に接するように配置して該吊天井取付金に締着固定して、垂下する該基部を上記開口部の下部を取り囲むように配設させる工程と、
上記複数の内装板取付金の上記目地枠構成部により構成された目地枠に上記開口部を覆う内装板を着脱自在に装着する工程と、
を有するエレベータのかご室天井の改装方法。
【請求項５】
開口部が既設天井板に形成され、既設遮蔽板が該開口部を塞口するように装着されているエレベータのかご室天井の改装方法において、
上記既設遮蔽板を取り外す工程と、
上面を平坦面とし、かつ厚みが幅方向の一側から他側に向かってステップ状に薄くなる断面形状を有する帯状体に作製された複数の吊天井取付金を、その薄肉部の下面を上記既設天井板の上面に接し、かつ厚肉部が上記開口部内に延出するように該開口部の周縁に沿って枠状に配列させる工程と、
基部、該基部の一端から鋭角に折り返されて形成された吊天井取付金係止部、および該基部の他端から該吊天井取付金係止部と逆側に折り返されて形成された目地枠構成部を有する複数の内装板取付金を、該吊天井取付金係止部の該基部に相対する面を、上記開口部の周縁に沿って枠状に配列された上記複数の吊天井取付金の上面に接するように配置して該複数の吊天井取付金のそれぞれに締着固定して、該複数の吊天井取付金を一体化するとともに、垂下する該基部を上記開口部の下部を取り囲むように配設させる工程と、
上記複数の内装板取付金の上記目地枠構成部により構成された目地枠に上記開口部を覆う内装板を着脱自在に装着する工程と、
を有するエレベータのかご室天井の改装方法。
【発明の詳細な説明】
【技術分野】
【０００１】
この発明は、エレベータのかご室の既設天井板に形成されている開口部を利用して吊設されるエレベータのかご室の吊天井ユニットおよびそれを用いたかご室天井の改装方法に関するものである。
【背景技術】
【０００２】
従来、エレベータのかご室天井を改装する方法として、既設天井板を取り外し、新規天井板を取り付ける方法がある。しかし、この改装方法は、天井板の取り外しおよび取り付け作業を伴うので、大掛かり、かつ煩雑な作業となり、作業時間が長くなり、作業負荷が大きくなるとともに、高コストとなってしまう。
【０００３】
このような状況を鑑み、天井機器用開口部、照明器具用取付孔位置指標、照明フレーム用取付孔位置指標が設けられた内装板を既設天井板に接着保持させ、天井機器用開口部に従って既設天井板に開口部を加工し、照明器具用取付孔位置指標に従って既設天井板に照明器具用取付孔を加工し、さらに照明フレーム用取付孔位置指標に従って既設天井板に照明フレーム用取付孔を加工し、その後、照明器具用取付孔を介して照明器具を装着し、照明フレーム用取付孔を介して照明フレームを装着するようにしたかご室天井の改装方法が提案されている（例えば、特許文献１参照）。
【０００４】
また、既設天井板に、その内部に照明体を備えた既設照明ボックスを設置し、かつ、既設照明ボックス下部を既設遮蔽板で覆うようにしたかご室照明装置において、既設遮蔽板を取り外した後、既設天井板と既設照明ボックスの各々の外側取付け部分に、下方に垂下する取付片を備えた所定幅のブラケットを取り外し自在に固設し、しかる後、ブラケットの取付片に、天井目地枠を取付け、この天井目地枠に既設照明ボックスを覆う新設の遮蔽板を取り外し自在に設けるようにしたかご室照明装置の改修方法が提案されている（例えば、特許文献２参照）。
【先行技術文献】
【特許文献】
【０００５】
【特許文献１】特開平１１−３４３０８５号公報
【特許文献２】特開２００３−２７６９６８号公報
【発明の概要】
【発明が解決しようとする課題】
【０００６】
しかしながら、特許文献１に記載のかご室天井の改装方法では、既設天井板に接着保持された内装板に設けられた天井機器用開口部、照明器具用取付孔位置指標、照明フレーム用取付孔位置指標に従って、既設天井板に穴加工をする必要があり、作業時間が長くなり、作業負荷が大きくなるという問題があった。
また、特許文献２に記載のかご室照明装置の改修方法では、既設照明ボックスの既設天井板への固定構造によっては適用できない場合があるとともに、既設天井板に形成された既設照明ボックス用の開口の寸法に合わせたブラケットを用意したり、既設照明ボックスと既設天井板とにブラケット取付用取付孔を形成する必要があるという問題があった。
【０００７】
この発明は、このような課題を解決するためになされたものであって、既設天井板や既設器具と共締めすることなく、既設天井板に形成されている既設開口部を利用して既設天井板から吊設できるようにし、作業時間および作業負荷を低減できるエレベータのかご室の吊天井ユニットおよびそれを用いたかご室天井の改装方法を得ることを目的とする。
【課題を解決するための手段】
【０００８】
この発明のエレベータのかご室の吊天井は、上面を平坦面とし、かつ厚みが内周側から外周側に向かってステップ状に薄くなる断面形状を有する枠体に作製され、薄肉部の下面を上面に平行な枠状の取付面とする吊天井取付金と、それぞれ、基部、該基部の一端から鋭角に折り返されて形成され、該基部に相対する面を上記吊天井取付金の上面に接して配置される吊天井取付金係止部、および該基部の他端から該吊天井取付金係止部と逆側に折り返されて形成された目地枠構成部を有する複数の内装板取付金と、上記吊天井取付金と上記複数の吊天井取付金係止部とを締着一体化する固定手段と、上記複数の目地枠構成部により構成される目地枠に着脱自在に装着される内装板と、を備えている。
【発明の効果】
【０００９】
この発明によれば、吊天井取付金が取付面を既設天井板に形成された開口部の縁部裏面に密接させて既設天井板に装着できる。また、吊天井取付金係止部を吊天井取付金の上面に接するように内装板取付金をし、固定手段により内装板取付金を吊天井取付金に締着一体化できる。さらに、内装板を内装板取付金の目地枠構成部により構成される目地枠に装着できる。したがって、吊天井ユニットは、かご室内からの操作により、かつ既設部材と共締めすることなく、既設天井板に吊設されるので、かご室の改装作業性が高められ、改装の作業時間および作業負荷を低減できる。
【図面の簡単な説明】
【００１０】
【図１】この発明の実施の形態１に係るエレベータの改装されたかご室天井をかご室内から見た平面図である。
【図２】図１のＩＩ−ＩＩ矢視断面図である。
【図３】この発明の実施の形態１に係るエレベータのかご室天井の改装方法に用いられる吊天井ユニットの構成を説明する分解図である。
【図４】この発明の実施の形態１に係るエレベータのかご室天井の改装方法に用いられる吊天井ユニットにおける吊天井取付金を示す平面図である。
【図５】図４のＶ−Ｖ矢視断面図である。
【図６】図５のＤ部の拡大図である。
【図７】この発明の実施の形態１に係るエレベータのかご室天井の改装方法に用いられる吊天井ユニットにおける照明板取付金および内装板の吊天井取付金への取り付け方法を説明する図である。
【図８】この発明の実施の形態１に係るエレベータの既設のかご室天井をかご室内から見た平面図である。
【図９】図８のＩＸ−ＩＸ矢視断面図である。
【図１０】この発明の実施の形態１に係るエレベータのかご室天井の改装方法を説明する工程図である。
【図１１】この発明の実施の形態１に係るエレベータのかご室天井の改装状態の実施態様を示す要部側断面図である。
【図１２】この発明の実施の形態１に係るエレベータのかご室天井の改装状態の他の実施態様を示す要部側断面図である。
【図１３】この発明の実施の形態２に係るエレベータのかご室天井の改装方法に用いられる吊天井ユニットの構成を説明する分解図である。
【図１４】この発明の実施の形態２に係るエレベータのかご室天井の改装方法に用いられる吊天井ユニットを構成する第１吊天井取付金を示す下面図である。
【図１５】この発明の実施の形態２に係るエレベータのかご室天井の改装方法に用いられる吊天井ユニットを構成する第３吊天井取付金を示す下面図である。
【図１６】この発明の実施の形態２に係るエレベータのかご室天井に吊天井取付金を装着した状態を天井裏側から見た図である。
【図１７】この発明の実施の形態２に係るエレベータのかご室天井に吊天井取付金および内装板取付金を装着した状態を天井裏側から見た図である。
【発明を実施するための形態】
【００１１】
以下、本発明のエレベータのかご室天井の改装方法の好適な実施の形態につき図面を用いて説明する。
【００１２】
実施の形態１．
図１はこの発明の実施の形態１に係るエレベータの改装されたかご室天井をかご室内から見た平面図、図２は図１のＩＩ−ＩＩ矢視断面図、図３はこの発明の実施の形態１に係るエレベータのかご室天井の改装方法に用いられる吊天井ユニットの構成を説明する分解図、図４はこの発明の実施の形態１に係るエレベータのかご室天井の改装方法に用いられる吊天井ユニットにおける吊天井取付金を示す平面図、図５は図４のＶ−Ｖ矢視断面図、図６は図５のＤ部の拡大図、図７はこの発明の実施の形態１に係るエレベータのかご室天井の改装方法に用いられる吊天井ユニットにおける照明板取付金および内装板の吊天井取付金への取り付け方法を説明する図である。図８はこの発明の実施の形態１に係るエレベータの既設のかご室天井をかご室内から見た平面図、図９は図８のＩＸ−ＩＸ矢視断面図、図１０はこの発明の実施の形態１に係るエレベータのかご室天井の改装方法を説明する工程図である。
【００１３】
図１および図２において、エレベータのかご室１は、かご床（図示せず）、かご床上に組み立てられた側壁２、側壁２の上部開口を塞口するように側壁２の上部に固設された既設天井板３、出入り口部に設けられた扉（図示せず）などを備えている。そして、既設照明ユニット５が既設天井板３の裏面側に設置され、吊天井ユニット１０が既設天井板３の既設照明ユニット５の下部に形成された開口部４を利用して吊設されている。なお、既設天井板３には、脱出のためのマンホールが形成されているが、ここでは省略されている。
【００１４】
ここで、改装前のかご室天井を有するかご室１Ａは、図８および図９に示されるように、照明グローブ６が、吊天井ユニット１０に代えて、開口部４に装着されている点を除いて、かご室１と同様に構成されている。すなわち、この実施の形態１では、照明グローブ６を吊天井ユニット１０に代えることにより、かご室天井が改装されている。
【００１５】
つぎに、吊天井ユニット１０について図３乃至図７を参照しつつ具体的に説明する。
吊天井ユニット１０は、図３に示されるように、内装板としての矩形平板状の照明板１１と、既設天井板３の開口部４に装着される吊天井取付金１２と、吊天井取付金１２に装着されて照明板１１を吊設する内装板取付金としての４つの照明板取付金１５と、を有する。
【００１６】
吊天井取付金１２は、図４乃至図６に示されるように、上面を平坦面とし、かつ各辺の板厚が外側に向かってステップ状に薄くなる断面形状の矩形の枠体に作製されている。これにより、吊天井取付金１２の下面には、所定幅を有する矩形枠状の平坦面からなる第１乃至第３取付面１２ａ，１２ｂ，１２ｃが３段に形成されている。さらに、吊天井取付金１２の各辺の上面には、スタッドボルト１３が複数個ずつ立設されている。なお、スタッドボルト１３とナット２０とにより、固定手段を構成している。
【００１７】
各照明板取付金１５は、図３および図７に示されるように、平板の基部１６の両端部を逆向きに折り返してＺ状に成形され、一方の折り返し辺が吊天井取付金１２に係止される吊天井取付金係止部１７を構成し、他方の折り返し辺が照明板１１を係止する目地枠構成部１９を構成している。吊天井取付金係止部１７には、吊天井取付金１２の上面に立設されたスタッドボルト１３が挿入される貫通穴１８が穿設されている。そして、４つの照明板取付金１５を吊天井取付金１２に装着したときに、４つの吊天井取付金係止部１７により吊天井取付金１２の矩形枠体の上面全体をほぼ覆うように、各吊天井取付金係止部１７が形成されている。つまり、吊天井取付金係止部１７のそれぞれは、吊天井取付金１２の矩形枠体の形状を略４分割した形状に形成されている。また、目地枠構成部１９のそれぞれは、照明板取付金１５が吊天井取付金１２に装着されたときに、照明板１１の外周縁部を覆う矩形の目地枠を構成するように形成されている。
【００１８】
つぎに、この実施の形態１によるかご室天井の改装方法について図７および図１０を参照しつつ説明する。
まず、かご室１Ａにおいて、グローブ外れ止め７により押さえられている照明グローブ６を取り外す。そして、既設天井板３の開口部４から既設照明ユニット５と既設天井板３の裏面に開口部４を取り囲むように立設されている保持部８との締着を解除し、図１０の（ａ）に示されるように、既設照明ユニット５の位置をずらす。
【００１９】
ついで、吊天井取付金１２を既設天井板３の開口部４から装着する。このとき、図１０の（ｂ）に示されるように、第２取付面１２ｂが既設天井板３の裏面に接し、第１取付面１２ａと第２取付面１２ｂとの間の段差部が開口部４に嵌め込まれる。そして、吊天井取付金１２の自重は第２取付面１２ｂを介して既設天井板３に受けられ、吊天井取付金１２の既設天井板３の裏面に沿った移動は第１取付面１２ａと第２取付面１２ｂとの間の段差部を介して開口部４の内周壁面に受けられる。これにより、吊天井取付金１２の落下および既設天井板３の裏面に沿った移動が規制される。
【００２０】
ついで、図７に示されるように、吊天井取付金係止部１７を吊天井取付金１２の下面側から吊天井取付金１２の開口１４を通し、貫通孔１８にスタッドボルト１３を通して、照明板取付金１５を吊天井取付金１２に装着する。そして、ナット２０をスタッドボルト１３に締着して、照明板取付金１５を吊天井取付金１２に固着する。同様にして、残る３枚の照明板取付金１５を、順次吊天井取付金１２に装着、固着する。そして、既設照明ユニット５を開口部４の上部に配置し、保持部８に締着固定する。これにより、吊天井取付金１２が、図１０の（ｃ）に示されるように、グローブ外れ止め７により押圧され、吊天井取付金１２の浮き上がりが規制される。また、４枚の照明板取付金１５の基部１６が開口１４から垂下し、開口部４の下部を取り囲む筒状に配列している。
【００２１】
ついで、図７に示されるように、照明板１１を下方から目地枠構成部１９により構成された目地枠に挿入、係合させ、照明板１１が設置される。これにより、図１０の（ｄ）に示されるように、照明グローブ６が吊天井ユニット１０に入れ替えられた改装されたかご室１が得られる。そこで、高級感のある照明板１１がかご天井に吊設され、かご室１の意匠性が高められる。
【００２２】
ここで、既設天井板３に形成された開口部４の寸法が大きい場合には、図１１に示されるように、吊天井取付金１２は、第３取付面１２ｃが既設天井板３の裏面に接し、第２取付面１２ｂと第３取付面１２ｃとの間の段差部が開口部４に嵌め込まれて、既設天井板３に装着される。また、開口部４の寸法が小さい場合には、図１２に示されるように、吊天井取付金１２は、第１取付面１２ａが既設天井板３の裏面に接し、下面と第１取付面１２ａとの間の段差部が開口部４に嵌め込まれて、既設天井板３に装着される。
【００２３】
このように、この実施の形態１によれば、吊天井ユニット１０が、上面を平坦面とし、かつ厚みが内周側から外周側に向かってステップ状に薄くなる断面形状を有する枠体に作製され、薄肉部の下面を上面に平行な枠状の取付面１２ａ，１２ｂ，１２ｃとする吊天井取付金１２と、それぞれ、基部１６、基部１６の一端から鋭角に折り返されて形成され、基部１６に相対する面を吊天井取付金１２の上面に接して配置される吊天井取付金係止部１７、および基部１６の他端から吊天井取付金係止部１７と逆側に折り返されて形成された目地枠構成部１９を有する複数の内装板取付金１５と、吊天井取付金１２と各吊天井取付金係止部１７とを締着一体化するスタッドボルト１３およびナット２０と、目地枠構成部１９により構成される目地枠に着脱自在に装着される内装板１１と、を備えている。
【００２４】
そこで、取付面１２ａ，１２ｂ，１２ｃを既設天井３に設けられた開口部４の縁部上面に接するようにして吊天井取付金１２を既設天井３に嵌合保持できる。また、吊天井取付金係止部１７を吊天井取付金１２の上面に接するようにスタッドボルト１３とナット２０とにより締着固定することにより、照明板取付金１５を吊天井取付金１２に吊設できる。さらに、照明板１１を目地枠構成部１９により構成される目地枠に装着し、既設照明ユニット５の下部を覆うように配置できる。
【００２５】
このように、吊天井ユニット１０を既設天井３や既設照明ユニット５と共締めする必要がない。そこで、既設照明ユニット５の固定構造に影響されることなく、開口部４を利用して吊天井ユニット１０を吊設できる。また、吊天井ユニット１０を吊設するために既設天井３などに穴を形成する追加加工の必要がない。そこで、吊天井ユニット１０を用いてかご室天井を改装すれば、改装作業性が高められ、作業時間が短縮でき、改装によるエレベータの停止期間を最小限にすることができるとともに、作業負荷の軽減が図られる。
さらに、既設天井３や既設照明ユニット５が流用できるので、かご室天井を安価に改装できる。
【００２６】
さらにまた、吊天井取付金１２は、厚みが内周側から外周側に向かって３段のステップ状に薄くなる断面形状を有する枠体に作製され、３段の取付面１２ａ，１２ｂ，１２ｃを有するので、生産年代によりサイズが異なる開口部４にも、単一の吊天井取付金１２で対応することができる。つまり、本吊天井ユニット１０は、幅広い年代のエレベータのかご室天井の改装に適用できる。
【００２７】
また、この実施の形態１によるかご室天井の改装方法では、取付面１２ａ，１２ｂ，１２ｃを既設天井板３の上面に接するように開口部４に嵌合させて吊天井取付金１２を既設天井板３に保持させ、ついで吊天井取付金係止部１７の基部１６に相対する面を吊天井取付金１２の上面に接するように配置し、スタッドボルト１３とナット２０とにより複数の内装板取付金１５を吊天井取付金１２に締着固定し、垂下する基部１６を開口部４の下部を取り囲むように配設させ、その後、複数の内装板取付金１５の目地枠構成部１９により構成された目地枠に開口部４を覆う内装板１１を着脱自在に装着している。
【００２８】
そこで、吊天井ユニット１０の吊設作業がかご室１内からの作業となるとともに、吊天井ユニット１０を吊設するために既設天井３などに穴を形成する追加加工の必要がない。これにより、かご室天井の改装作業性が高められ、作業時間が短縮でき、改装によるエレベータの停止期間を最小限にすることができるとともに、作業負荷の軽減が図られる。
【００２９】
なお、上記実施の形態１では、吊天井取付金が矩形の枠体に作製されているものとしているが、吊天井取付金の枠体の形状は矩形に限定されるものではなく、開口部の開口形状に適合する形状であればよい。例えば、開口部の開口形状が正方形、六角形、あるいは円形であれば、吊天井取付金の枠体の形状は、正方形、六角形、あるいは円形となる。
【００３０】
実施の形態２．
図１３はこの発明の実施の形態２に係るエレベータのかご室天井の改装方法に用いられる吊天井ユニットの構成を説明する分解図、図１４はこの発明の実施の形態２に係るエレベータのかご室天井の改装方法に用いられる吊天井ユニットを構成する第１吊天井取付金を示す下面図、図１５はこの発明の実施の形態２に係るエレベータのかご室天井の改装方法に用いられる吊天井ユニットを構成する第３吊天井取付金を示す下面図、図１６はこの発明の実施の形態２に係るエレベータのかご室天井に吊天井取付金を装着した状態を天井裏側から見た図、図１７はこの発明の実施の形態２に係るエレベータのかご室天井に吊天井取付金および内装板取付金を装着した状態を天井裏側から見た図である。
【００３１】
図１３において、吊天井ユニット３０は、矩形平板状の照明板１１と、既設天井板３の開口部４に装着される第１乃至第３吊天井取付金３１Ａ，３１Ｂ，３１Ｃと、第１乃至第３吊天井取付金３１Ａ，３１Ｂ，３１Ｃに装着されて照明板１１を吊設する内装板取付金としての第１および第２照明板取付金３４Ａ，３４Ｂと、を有する。
【００３２】
第１吊天井取付金３１Ａは、図１３および図１４に示されるように、上面を平坦面とし、かつ板厚が外側に向かってステップ状に薄くなる断面形状のＬ字状の帯状に作製されている。これにより、第１吊天井取付金３１Ａの下面には、所定幅を有するＬ字状の平坦面からなる第１乃至第３取付面３２ａ，３２ｂ，３２ｃが３段に形成されている。さらに、第１吊天井取付金３１Ａの上面には、スタッドボルト１３が２個立設されている。なお、１個のスタッドボルト１３は、Ｌ字状の角部に立設されている。
第２吊天井取付金３１Ｂは、Ｌ字状の向きが逆向きである点を除いて第１吊天井取付金３１Ａと同様に構成されている。
【００３３】
第３吊天井取付金３１Ｃは、図１３および図１５に示されるように、上面を平坦面とし、かつ板厚が外側に向かってステップ状に薄くなる断面形状の矩形帯状に作製されている。これにより、第３吊天井取付金３１Ｃの下面には、所定幅を有する矩形の平坦面からなる第１乃至第３取付面３３ａ，３３ｂ，３３ｃが３段に形成されている。さらに、第３吊天井取付金３１Ｃの上面には、スタッドボルト１３が長さ方向に離間して２個立設されている。
【００３４】
第１照明板取付金３４Ａは、図１３に示されるように、平板の第１基部３５Ａの両端部を逆向きに折り返してＺ状に成形され、一方の折り返し辺が第１および第２吊天井取付金３１Ａ，３１Ｂに係止される第１吊天井取付金係止部３６Ａを構成し、他方の折り返し辺が照明板１１を係止する第１目地枠構成部３７Ａを構成している。第１吊天井取付金係止部３６Ａには、第１および第２吊天井取付金３１Ａ，３１Ｂの上面に立設された２本のスタッドボルト１３が挿入される貫通孔３８が穿設されている。
【００３５】
第２照明板取付金３４Ｂは、図１３に示されるように、平板の第２基部３５Ｂの両端部を逆向きに折り返してＺ状に成形され、一方の折り返し辺が第１乃至第３吊天井取付金３１Ａ，３１Ｂ，３１Ｃに係止される第２吊天井取付金係止部３６Ｂを構成し、他方の折り返し辺が照明板１１を係止する第２目地枠構成部３７Ｂを構成している。第２吊天井取付金係止部３６Ｂには、第１および第２吊天井取付金３１Ａ，３１Ｂの上面のＬ字状の角部と、第３吊天井取付金３１Ｃの上面とに立設された４本のスタッドボルト１３が挿入される貫通孔３８が穿設されている。
【００３６】
つぎに、この実施の形態２によるかご室天井の改装方法について図１６および図１７を参照しつつ説明する。
まず、実施の形態１と同様に、かご室１Ａにおいて、グローブ外れ止め７により押さえられている照明グローブ６を取り外す。そして、既設天井板３の開口部４から既設照明ユニット５と既設天井板３の裏面に開口部４を取り囲むように立設されている保持部８との締着を解除し、既設照明ユニット５の位置をずらす。
【００３７】
ついで、第１乃至第３吊天井取付金３１Ａ，３１Ｂ，３１Ｃをかご室内から既設天井板３の開口部４から装着する。このとき、各第３吊天井取付金３１Ｃが、第２取付面３３ｂを天井板３の矩形の開口部４の長辺の縁部裏面に接し、第１取付面３３ａと第２取付面３３ｂとの間の段差部を開口部４の内周壁面に接するように、嵌合される。また、各第１および第２吊天井取付金３１Ａ，３１Ｂが、第２取付面３２ｂを天井板３の矩形の開口部４の短辺および長辺の縁部裏面に接し、第１取付面３２ａと第２取付面３２ｂとの間の段差部を開口部４の内周壁面に接するように、嵌合される。そして、第１乃至第３吊天井取付金３１Ａ，３１Ｂ，３１Ｃは、図１６に示されるように、開口部４の縁部に沿って枠状に配列されて既設天井板３に配設される。なお、互いに接してコ字状に並んだ第１乃至第３吊天井取付金３１Ａ，３１Ｂ，３１Ｃの２組が、開口部４の短辺方向に離間して相対するように配設されている。
【００３８】
ついで、第２吊天井取付金係止部３６Ｂをかご室内から既設天井板３の開口部４を通し、第１および第２吊天井取付金３１Ａ，３１ＢのＬ字状の角部に立設されたスタットボルト１３、および第３吊天井取付金３１Ｃに立設されたスタッドボルト１３を貫通孔３８に通して、第２照明板取付金３４Ｂを装着する。そして、ナット２０をスタッドボルト１３に締着して、第２照明板取付金３４Ｂを第１乃至第３吊天井取付金３１Ａ，３１Ｂ，３１Ｃに固着する。これにより、互いに接してコ字状に並んだ第１乃至第３吊天井取付金３１Ａ，３１Ｂ，３１Ｃの各組が第２照明板取付金３４Ｂを介して一体化される。
【００３９】
ついで、第１吊天井取付金係止部３６Ａをかご室内から既設天井板３の開口部４を通し、第１および第２吊天井取付金３１Ａ，３１Ｂに立設された残る２本のスタットボルト１３を貫通孔３８に通して、第１照明板取付金３４Ａを装着する。そして、ナット２０をスタッドボルト１３に締着して、第１照明板取付金３４Ａを第１および第２吊天井取付金３１Ａ，３１Ｂに固着する。これにより、開口部４の短辺の長さ方向に離間して配設されている第１および第２吊天井取付金３１Ａ，３１Ｂが第１照明板取付金３４Ａを介して一体化される。
【００４０】
そこで、開口部４の縁部に沿って枠状に配列されている６枚の第１乃至第３吊天井取付金３１Ａ，３１Ｂ，３１Ｃが一体化される。そして、第１乃至第３吊天井取付金３１Ａ，３１Ｂ，３１Ｃの自重は第２取付面３２ｂ、３３ｂを介して既設天井板３に受けられ、第１乃至第３吊天井取付金３１Ａ，３１Ｂ，３１Ｃの既設天井板３の裏面に沿った移動は第１取付面３２ａ，３３ａと第２取付面３２ｂ，３３ｂとの間の段差部を介して開口部４の内周壁面に受けられる。これにより、第１乃至第３吊天井取付金３１Ａ，３１Ｂ，３１Ｃの落下および既設天井板３の裏面に沿った移動が規制される。
【００４１】
ついで、図示していないが、既設照明ユニット５を開口部４の上部に配置し、保持部８に締着固定する。これにより、第１乃至第３吊天井取付金３１Ａ，３１Ｂ，３１Ｃが、グローブ外れ止め７により押圧され、第１乃至第３吊天井取付金３１Ａ，３１Ｂ，３１Ｃの浮き上がりが規制される。また、４枚の第１および第２照明板取付金３４Ａ，３４Ｂの第１および第２基部３５Ａ，３５Ｂが開口部４から垂下し、開口部４の下部を取り囲む筒状に配列している。
【００４２】
ついで、図示していないが、照明板１１を下方から第１および第２目地枠構成部３７Ａ，３７Ｂにより構成された目地枠に挿入、係合させ、照明板１１が設置される。これにより、照明グローブ６が吊天井ユニット３０に入れ替えられた改装されたかご室が得られる。そこで、高級感のある照明板１１がかご天井に吊設され、かご室の意匠性が高められる。
【００４３】
このように、実施の形態２においても、上記実施の形態１と同様の効果が得られる。
また、この実施の形態２においては、上記実施の形態１における吊天井取付金１２が第１乃至第３吊天井取付金３１Ａ，３１Ｂ，３１Ｃに分割構成されているので、第１乃至第３吊天井取付金３１Ａ，３１Ｂ，３１Ｃを既設天井板３の開口部４への装着が容易となり、吊天井ユニット３０を簡易に装着できる。
第１および第２吊天井取付金３１Ａ，３１Ｂが矩形の開口部４の短辺に互いに離間して配置するように構成されているので、障害物が開口部４の短辺縁部の中央部にあるような場合でも、そのような障害物を避けて、吊天井ユニット３０を簡易に装着できる。
【００４４】
なお、上記実施の形態２では、第１および第２吊天井取付金が第３吊天井取付金の長さ方向の両端面に接し、第１および第２吊天井取付金が開口部の短辺の長さ方向に互いに離間するように配置されるものとしているが、第１および第２吊天井取付金の長さを長くし、第１乃至第３吊天井取付金を互いに接するように矩形の枠状に配列するようにしてもよい。この場合にも、第１乃至第３吊天井取付金が分割構成されているので、既設天井板の開口部への装着が容易となる。
また、上記実施の形態２では、吊天井取付金が６枚の第１乃至第３吊天井取付金に分割構成されているものとしているが、吊天井取付金の分割数はこれに限定されるものではない。
【００４５】
また、上記実施の形態２では、第１乃至第３吊天井取付金が開口部の縁部に沿って矩形の枠状に配列されているものとしているが、第１乃至第３吊天井取付金の配列形状は矩形に限定されるものではなく、開口部の開口形状に適合する形状であればよい。例えば、開口部の開口形状が正方形、六角形、あるいは円形であれば、第１乃至第３吊天井取付金の配列形状は、正方形、六角形、あるいは円形となる。
【００４６】
また、上記各実施の形態では、既設照明グローブを高級感のある照明板に改装するものとして説明しているが、本発明は、既設照明グローブの改装に限定されるものではなく、既設天井板に形成されている開口部を塞口している部材の改装に適用できることはいうまでもないことである。
【００４７】
また、上記各実施の形態では、吊天井ユニットを吊設するに先立って、既設天井板との締着を解除して既設照明ユニットを移動させておくものとして説明しているが、既設照明ユニットが吊設される吊天井ユニットの障害とならない場合には、既設照明ユニットの移動工程は不要となる。
【００４８】
また、上記各実施の形態では、吊天井取付金はその肉厚が３段のステップ状に漸次薄くなる断面形状に形成されているものとしているが、吊天井取付金の断面形状は、３段のステップ状に限定される物ではなく、例えば１段のステップ状、あるいは４段以上のステップ状であってもよい。
【符号の説明】
【００４９】
３  既設天井板、４  開口部、１０  吊天井ユニット、１１  照明板（内装板）、１２  吊天井取付金、１２ａ  第１取付面、１２ｂ  第２取付面、１２ｃ  第３取付面、１３  スタッドボルト（固定手段）、１５  照明板取付金（内装板取付金）、１６  基部、１７  吊天井取付金係止部、１９  目地枠構成部、２０  ナット（固定手段）、３０  吊天井ユニット、３１Ａ  第１吊天井取付金、３１Ｂ  第２吊天井取付金、３１Ｃ  第３吊天井取付金、３２ａ，３３ａ  第１取付面、３２ｂ，３３ｂ  第２取付面、３２ｃ，３３ｃ  第３取付面、３４Ａ  第１照明板取付金（内装板取付金）、３４Ｂ  第２照明板取付金（内装板取付金）、３５Ａ  第１基部，３５Ｂ  第２基部、３６Ａ  第１吊天井取付金係止部、３６Ｂ  第２吊天井取付金係止部、３８Ａ  第１目地枠構成部、２８Ｂ  第２目地枠構成部。
【図１】
2010228840.tif 000003
【図２】
2010228840.tif 000004
【図３】
2010228840.tif 000005
【図４】
2010228840.tif 000006
【図５】
2010228840.tif 000007
【図６】
2010228840.tif 000008
【図７】
2010228840.tif 000009
【図８】
2010228840.tif 000010
【図９】
2010228840.tif 000011
【図１０】
2010228840.tif 000012
【図１１】
2010228840.tif 000013
【図１２】
2010228840.tif 000014
【図１３】
2010228840.tif 000015
【図１４】
2010228840.tif 000016
【図１５】
2010228840.tif 000017
【図１６】
2010228840.tif 000018
【図１７】
2010228840.tif 000019